(57)【要約】【課題】  ハードウェアリソースの乏しい安価な印刷装置において、絵文字と呼ばれるフォントを使用している電子文書を印刷することを目的とする。【解決手段】  絵文字フォントの代わりに、絵文字コードからその絵文字の意味する単語を参照できるテーブルを搭載する。【選択図】  図２
2006192692.tif 000002
【特許請求の範囲】
【請求項１】
受信データに基づいて印刷を行う印刷方法であって、
印刷データを受信するデータ受信手段と、
前記データ受信手段から受信したデータを解析する受信データ解析手段と、
文字データを認識する文字コード認識手段と、
文字コードに割り当てられたビットマップデータを保持する文字データ保持手段と、
絵文字コードに割り当てる語句を保持する絵文字コード変換テーブル手段と、
を有することを特徴とする印刷方法。
【請求項２】
受信データに基づいて印刷を行う印刷装置であって、
印刷データを受信するデータ受信部と、
前記データ受信部から受信したデータを解析する受信データ解析部と、
文字データを認識する文字コード認識部と、
文字コードに割り当てられたビットマップデータを保持する文字データ保持部と、
絵文字コードに割り当てる語句を保持する絵文字コード変換テーブル部と、
を有することを特徴とする印刷装置。
【請求項３】
受信データに基づいて印刷を行う印刷方法であって、
前記絵文字コードを認識すると、前期絵文字コード変換テーブルを参照し、割り当てられた語句の文字コードを取得する手段を有する、請求項１の印刷方法。
【請求項４】
受信データに基づいて印刷を行う印刷装置であって、
前記絵文字コードを認識すると、前期絵文字コード変換テーブルを参照し、割り当てられた語句の文字コードを取得する手段を有する、請求項２の印刷装置。
【請求項５】
受信データに基づいて印刷を行う印刷方法であって、
電子メール文書の送信アドレスを記憶する送信アドレス記憶手段と、
複数の前記絵文字コード変換テーブル手段を保持し、前記送信アドレス記憶手段に記録された送信アドレスによって、前記絵文字コード変換テーブルを使い分ける、絵文字コード変換テーブル切り替え手段と、
を有し、電子メール文書が送信されてきた場合、その文書の送信アドレスと前記送信アドレス記憶手段に記憶されている送信アドレスを比較し、前記絵文字コード変換テーブルを使い分けることを特徴とする請求項3の印刷方法。
【請求項６】
受信データに基づいて印刷を行う印刷装置であって、
電子メール文書の送信アドレスを記憶する送信アドレス記憶部と、
複数の前記絵文字コード変換テーブル部を保持し、前記送信アドレス記憶部に記録された送信アドレスによって、前記絵文字コード変換テーブルを使い分ける、絵文字コード変換テーブル切り替え部と、
を有し、電子メール文書が送信されてきた場合、その文書の送信アドレスと前記送信アドレス記憶部に記憶されている送信アドレスを比較し、前記絵文字コード変換テーブルを使い分けることを特徴とする請求項３の印刷装置。
【請求項７】
保存データに基づいて印刷を行う印刷方法であって、
文書メールを格納する記憶媒体を装着する装着手段と、
前記装着手段に装着された前記記憶媒体の中のデータを読み出すデータ読み出し手段と、
前記データ読み出し手段によって読み出されたデータを解析するデータ解析手段と、
文字データを認識する文字コード認識手段と、
文字コードに割り当てられたビットマップデータを保持する文字データ保持手段と、
絵文字コードに割り当てる語句を保持する絵文字コード変換テーブル手段と、
を有することを特徴とする印刷方法。
【請求項８】
保存データに基づいて印刷を行う印刷装置であって、
文書メールを格納する記憶媒体を装着する装着部と、
前記装着部に装着された前記記憶媒体の中のデータを読み出すデータ読み出し部と、
前記データ読み出し部によって読み出されたデータを解析するデータ部と、
文字データを認識する文字コード認識部と、
文字コードに割り当てられたビットマップデータを保持する文字データ保持部と、
絵文字コードに割り当てる語句を保持する絵文字コード変換テーブル部と、
を有することを特徴とする印刷装置。
【請求項９】
保存データに基づいて印刷を行う印刷方法であって、
前記絵文字コードを認識すると、前期絵文字コード変換テーブルを参照し、割り当てられた語句の文字コードを取得する手段を有する、請求項７の印刷方法。
【請求項１０】
保存データに基づいて印刷を行う印刷装置であって、
前記絵文字コードを認識すると、前期絵文字コード変換テーブルを参照し、割り当てられた語句の文字コードを取得する手段を有する、請求項８の印刷装置。
【請求項１１】
保存データに基づいて印刷を行う印刷方法であって、
電子メール文書の送信アドレスを記憶する送信アドレス記憶手段と、
複数の前記絵文字コード変換テーブル手段を保持し、前記送信アドレス記憶手段に記録された送信アドレスによって、前記絵文字コード変換テーブルを使い分ける、絵文字コード変換テーブル切り替え手段と、
を有し、電子メール文書が送信されてきた場合、その文書の送信アドレスと前記送信アドレス記憶手段に記憶されている送信アドレスを比較し、前記絵文字コード変換テーブルを使い分けることを特徴とする請求項７の印刷方法。
【請求項１２】
保存データに基づいて印刷を行う印刷装置であって、
電子メール文書の送信アドレスを記憶する送信アドレス記憶部と、
複数の前記絵文字コード変換テーブル部を保持し、前記送信アドレス記憶部に記録された送信アドレスによって、前記絵文字コード変換テーブルを使い分ける、絵文字コード変換テーブル切り替え部と、
を有し、電子メール文書が送信されてきた場合、その文書の送信アドレスと前記送信アドレス記憶部に記憶されている送信アドレスを比較し、前記絵文字コード変換テーブルを使い分けることを特徴とする請求項８の印刷装置。
【発明の詳細な説明】
【技術分野】
【０００１】
本発明は、文字コードで形成された文書を印刷する印刷方法及び印刷装置に関するものであり、特に絵文字と呼ばれる特殊な文字コードを含む文書を印刷する場合の制御装置、及びその制御方法に関するものである。
【背景技術】
【０００２】
近年、携帯電話は広く使用されるようになってきている。このような携帯電話は以前と比べ、かなりの高機能化を遂げており、電話という通信手段の主たる目的である音声通話と言う機能にとどまらず、ホームページの閲覧や電子メールのやり取りなどを行うインターネット機能、デジタル画像の撮影するデジタルカメラ機能、メール文書やデジタル画像を外部メモリに保存する保存機能、赤外線通信を利用した他の携帯電話もしくは他の機器とのデータのやり取りする機能など、様々な機能を保持するようになってきた。特に電子メールのやり取りに関しては非常に普及しており、電子メールによるコミュニケーションは音声通話でのコミュニケーション以上に頻繁に使用されている状況である。
【０００３】
このような状況に伴って、携帯電話での電子メールの文化は独自の発展を遂げている。
【０００４】
従来、電子メールはコンピュータを使用したインターネットの世界の技術であった。電子メールとはその名のとおり、インターネットと言うデジタルの世界での手紙のやり取りであって、コンピュータで作成した文書をインターネット経由で所望の相手に送信することが可能である。利用者はメールアドレスと呼ばれる識別コードが与えられている。コンピュータ上で作成したデジタルデータを所望の相手に送る場合、電子メールの形式を使用し、宛先に送信相手の識別コード（メールアドレス）を記載する。“電子メール”をインターネットを介し、電子メールの配信を管理するメールサーバと呼ばれる機能が搭載されたコンピュータに対し送信する。このメールサーバがデータに記載されている識別コード（メールアドレス）から、送信相手を割り出していき、最終的に送信相手の所属するメールサーバへと送信される。送信相手はこのメールサーバにアクセスし、自分の識別コード（メールアドレス）に送信されたデジタルデータを読むことが可能になる。
【０００５】
この電子メールに代表されるデジタル文書に使用される「文字」は、一般的に定められた文字コードと呼ばれる1バイトもしくは２バイトのデータから成り立っている。デジタル文書を扱う電子機器は、これらの文字コードに対応した「フォント」と呼ばれる文字のデザインデータを、フォントテーブルと呼ばれる形式で保持している。デジタル文書を表示、印刷などする場合、文字コードからフォントテーブルを使用して、ユーザーが読める文書に変換される。
【０００６】
携帯電話で使用されている電子メールにおいても、基本的には従来の電子メールとまったく同じ形式をとっている。しかしパソコンなど、大画面のディスプレイを使用して文書を読むことが可能な装置と比べると、携帯電話の表示部は表示範囲が狭く、文書を表示する能力は貧弱である。また電子メールを送信する通信料もデータ量によって高くなる。このため、なるべく短い文書で相手に自分の意志を伝える手段が、模索されてきた。このような状況下で、携帯電話独自の文化として発展したのが「絵文字」である。絵文字とは通常の文字でなく、ひとつの絵を文字と同じ用に扱うものである。「絵文字」の制御方法は、一般的に定められた文字コードで使用されていない２バイトの文字コードを、フォントと同じようにそれぞれの絵に割り当てて使用するものである。
【０００７】
携帯電話使用者は、通常の「文字」とこの「絵文字」を組み合わせることで、表現力豊かな文を短い電子メールの中に表すことが可能になった。
【０００８】
又、別の従来例としては、例えば特許文献１あげることが出来る。
【特許文献１】特開２００４−３１８６８８号公報
【発明の開示】
【発明が解決しようとする課題】
【０００９】
ところで現在、この「絵文字」は日々発展しており、携帯電話の新しい機種が出るタイミングで新しい「絵文字」が追加されることもしばしばある。また、「絵文字」に使用されている絵については一般的な規格があるわけではなく、各携帯電話会社の独自のものとなっている。これによって、割り当てられる絵文字コードについても、各携帯電話会社が一般的に定められた文字コードと重ならないように、独自に割り振ったものである。このため、携帯電話の電子メールに絵文字を使用した場合、同じ携帯電話会社に契約している相手にしか「絵文字」を表現できず、他の携帯電話会社に契約しているユーザーや、一般のコンピュータを使用しているユーザーに対しては送信することが出来ない、もしくは送信しても絵文字が表現されないので意味不明の文書になってしまう。同じく絵文字を使用した電子メールデータを、赤外線などの通信方法や、外部メモリに保存する保存機能を使用して、コンピュータやプリンタなどの他の機器で表示した場合も絵文字が表現されないので意味不明の文書になってしまう。この問題の解決法として、絵文字コードに対応した絵文字フォントテーブルを作成し、搭載すれば、コンピュータやプリンタなどの他の機器で表示した場合でも表示は可能ではある。実際、コンピュータ用のソフトウェアとして、絵文字フォントを積んだアプリケーションが提供されている。
【００１０】
しかし、プリンタなどのコンシューマ機器の中に絵文字フォントを搭載するにはメモリなどのリソース資源が必要となってくるため、安価に搭載することが容易ではない。本発明は上記課題に鑑みてなされたもので、絵文字を含む電子メールの新しい印刷方法を提案することで、絵文字フォントを搭載しなくても、絵文字を使用した電子メールの内容が意味不明の文書にならず、電子メールの内容がわかる印刷物を提供することが可能な印刷方法を提供することを目的としている。
【課題を解決するための手段】
【００１１】
上記目的を達成するために本発明の印刷方法は以下のような構成を備える。即ち受信データに基づいて印刷を行う印刷方法であって、印刷データを受信するデータ受信手段と、前記データ受信手段から受信したデータを解析する受信データ解析手段と、文字データを認識する文字コード認識手段と、文字コードに割り当てられたビットマップデータを保持する文字データ保持手段と、絵文字コードに割り当てる語句を保持する絵文字コード変換テーブル手段と、を有することを特徴とする。
【００１２】
上記目的を達成するために本発明の印刷装置は以下のような構成を備える。即ち受信データに基づいて印刷を行う印刷装置であって、印刷データを受信するデータ受信部と、前記データ受信部から受信したデータを解析する受信データ解析部と、文字データを認識する文字コード認識部と、文字コードに割り当てられたビットマップデータを保持する文字データ保持部と、絵文字コードに割り当てる語句を保持する絵文字コード変換テーブル部と、を有することを特徴とする。
【００１３】
上記目的を達成するために本発明の印刷方法は以下のような構成を備える。即ち受信データに基づいて印刷を行う印刷方法であって、前記絵文字コードを認識すると、前期絵文字コード変換テーブルを参照し、割り当てられた語句の文字コードを取得する手段を有することを特徴とする。
【００１４】
上記目的を達成するために本発明の印刷装置は以下のような構成を備える。即ち受信データに基づいて印刷を行う印刷装置であって、前記絵文字コードを認識すると、前期絵文字コード変換テーブルを参照し、割り当てられた語句の文字コードを取得する手段を有することを特徴とする。
【００１５】
上記目的を達成するために本発明の印刷方法は以下のような構成を備える。即ち受信データに基づいて印刷を行う印刷方法であって、電子メール文書の送信アドレスを記憶する送信アドレス記憶手段と、複数の前記絵文字コード変換テーブル手段を保持し、前記送信アドレス記憶手段に記録された送信アドレスによって、前記絵文字コード変換テーブルを使い分ける、絵文字コード変換テーブル切り替え手段と、を有し、電子メール文書が送信されてきた場合、その文書の送信アドレスと前記送信アドレス記憶手段に記憶されている送信アドレスを比較し、前記絵文字コード変換テーブルを使い分けることを特徴とする。
【００１６】
上記目的を達成するために本発明の印刷装置は以下のような構成を備える。即ち受信データに基づいて印刷を行う印刷装置であって、電子メール文書の送信アドレスを記憶する送信アドレス記憶部と、複数の前記絵文字コード変換テーブル部を保持し、前記送信アドレス記憶部に記録された送信アドレスによって、前記絵文字コード変換テーブルを使い分ける、絵文字コード変換テーブル切り替え部と、を有し、電子メール文書が送信されてきた場合、その文書の送信アドレスと前記送信アドレス記憶部に記憶されている送信アドレスを比較し、前記絵文字コード変換テーブルを使い分けることを特徴とする。
【００１７】
上記目的を達成するために本発明の印刷方法は以下のような構成を備える。即ち保存データに基づいて印刷を行う印刷方法であって、文書メールを格納する記憶媒体を装着する装着手段と、前記装着手段に装着された前記記憶媒体の中のデータを読み出すデータ読み出し手段と、前記データ読み出し手段によって読み出されたデータを解析するデータ解析手段と、文字データを認識する文字コード認識手段と、文字コードに割り当てられたビットマップデータを保持する文字データ保持手段と、絵文字コードに割り当てる語句を保持する絵文字コード変換テーブル手段と、を有することを特徴とする。
【００１８】
上記目的を達成するために本発明の印刷装置は以下のような構成を備える。即ち保存データに基づいて印刷を行う印刷装置であって、文書メールを格納する記憶媒体を装着する装着部と、前記装着部に装着された前記記憶媒体の中のデータを読み出すデータ読み出し部と、前記データ読み出し部によって読み出されたデータを解析するデータ部と、文字データを認識する文字コード認識部と、文字コードに割り当てられたビットマップデータを保持する文字データ保持部と、絵文字コードに割り当てる語句を保持する絵文字コード変換テーブル部と、を有することを特徴とする。
【００１９】
上記目的を達成するために本発明の印刷方法は以下のような構成を備える。即ち保存データに基づいて印刷を行う印刷方法であって、前記絵文字コードを認識すると、前期絵文字コード変換テーブルを参照し、割り当てられた語句の文字コードを取得する手段を有することを特徴とする。
【００２０】
上記目的を達成するために本発明の印刷装置は以下のような構成を備える。即ち保存データに基づいて印刷を行う印刷装置であって、前記絵文字コードを認識すると、前期絵文字コード変換テーブルを参照し、割り当てられた語句の文字コードを取得する手段を有することを特徴とする。
【００２１】
上記目的を達成するために本発明の印刷方法は以下のような構成を備える。即ち保存データに基づいて印刷を行う印刷方法であって、電子メール文書の送信アドレスを記憶する送信アドレス記憶手段と、複数の前記絵文字コード変換テーブル手段を保持し、前記送信アドレス記憶手段に記録された送信アドレスによって、前記絵文字コード変換テーブルを使い分ける、絵文字コード変換テーブル切り替え手段と、を有し、電子メール文書が送信されてきた場合、その文書の送信アドレスと前記送信アドレス記憶手段に記憶されている送信アドレスを比較し、前記絵文字コード変換テーブルを使い分けることを特徴とする。
【００２２】
上記目的を達成するために本発明の印刷装置は以下のような構成を備える。即ち保存データに基づいて印刷を行う印刷装置であって、電子メール文書の送信アドレスを記憶する送信アドレス記憶部と、複数の前記絵文字コード変換テーブル部を保持し、前記送信アドレス記憶部に記録された送信アドレスによって、前記絵文字コード変換テーブルを使い分ける、絵文字コード変換テーブル切り替え部と、を有し、電子メール文書が送信されてきた場合、その文書の送信アドレスと前記送信アドレス記憶部に記憶されている送信アドレスを比較し、前記絵文字コード変換テーブルを使い分けることを特徴とする。
【発明の効果】
【００２３】
以上説明したように本発明によれば、メモリなどのリソース資源の少ない印刷装置において、絵文字フォントを搭載することなくとも、絵文字を使用した電子メールの内容が意味不明の文書にならず、電子メールの内容がわかる印刷物を提供することが可能な印刷方法を提供することが可能であり、ユーザーによる利便性の向上を図ることが出来る。
【発明を実施するための最良の形態】
【００２４】
以下、添付図面を参照して本発明の好適な実施の形態を詳細に説明する。
【００２５】
図１は、本発明の実施の形態に係る印刷装置１０００の概観斜視図である。この印刷装置１０００は、ホストコンピュータ（ＰＣ）や携帯電話などの外部装置からデータを受信して印刷する通常のＰＣプリンタとしての機能と、メモリカードなどの記憶媒体に記憶されている画像データを直接読取って印刷する機能を備えている。
【００２６】
図１において、本実施の形態に係る印刷装置１０００の外殻をなす本体は、ケース１００１、上ケース１００２、アクセスカバー１００３及び排出トレイ１００４の外装部材を有している。また、下ケース１００１は、ＰＤ印刷装置１０００の略下半部を、上ケース１００２は本体の略上半部をそれぞれ形成しており、両ケースの組合せによって内部に後述の各機構を収納する収納空間を有する中空体構造をなし、その上面部及び前面部にはそれぞれ開口部が形成されている。さらに、排出トレイ１００４は、その一端部が下ケース１００１に回転自在に保持され、その回転によって下ケース１００１の前面部に形成される開口部を開閉させ得るようになっている。このため、記録動作を実行させる際には、排出トレイ１００４を前面側へと回転させて開口部を開成させることにより、ここから記録シートが排出可能となると共に、排出された記録シートを順次積載し得るようになっている。また、排紙トレイ１００４には、２枚の補助トレイ１００４ａ，１００４ｂが収納されており、必要に応じて各トレイを手前に引き出すことにより、用紙の支持面積を３段階に拡大、縮小させ得るようになっている。
【００２７】
アクセスカバー１００３は、その一端部が上ケース１００２に回転自在に保持され、上面に形成される開口部を開閉し得るようになっており、このアクセスカバー１００３を開くことによって本体内部に収納されている記録ヘッドカートリッジ（不図示）あるいはインクタンク（不図示）等の交換が可能となる。なお、ここでは特に図示しないが、アクセスカバー１００３を開閉させると、その裏面に形成された突起がカバー開閉レバーを回転させるようになっており、そのレバーの回転位置をマイクロスイッチなどで検出することにより、アクセスカバーの開閉状態を検出し得るようになっている。
【００２８】
また、上ケース１００２の上面には、電源キー１００５が押下可能に設けられている。また、上ケース１００２の右側には、液晶表示部１００６や各種キースイッチ等を備える操作パネル１０１０が設けられている。この操作パネル１０１０は、プリンタ操作特に後述のメモリカードなどに記録される画像データを印刷するときなどに主に使用するものである。１００７は自動給送部で、記録シートを装置本体内へと自動的に給送する。１００８は紙間選択レバーで、プリントヘッドと記録シートとの間隔を調整するためのレバーである。１０１１はカードスロットで、ここにメモリカードを装着可能なアダプタが挿入され、このアダプタを介してメモリカードに記憶されている画像データを直接取り込んで印刷することができる。このメモリカードとしては、例えばコンパクトフラッシュ（登録商標）メモリ、スマートメディア、メモリスティック等がある。１０１２はカードスロット１０１１に挿入されたメモリカードを取り出す為のアクセス装置である。１００９は赤外線受光部であり、ＰＣや携帯電話などの外部装置からデータを受信するためのものである。また、印刷装置１０００の背面にはUSB等のインターフェースを接続するインターフェース接続部（不図示）が存在する。
【００２９】
次に図２を参照して、本実施の形態に係る印刷装置１０００の制御に係る主要部の構成を説明する。尚、この図２において、前述の図面と共通する部分は同じ記号を付与して、それらの説明を省略する。
【００３０】
図２において、２０００は制御部（制御基板）を示している。２００１はＡＳＩＣ（専用カスタムＬＳＩ）を示し、その構成は図３のブロック図を参照して詳しく後述する。２００２はＣＰＵ、２００３はメモリで、２００２のＣＰＵの制御プログラムを記憶するプログラムメモリ２００３ａ、及び実行時のプログラムを記憶するＲＡＭエリア、画像データなどを記憶するワークメモリとして機能するメモリエリアを有している。２００４はプリンタエンジンで、ここでは、複数色のカラーインクを用いてカラー画像を印刷するインクジェットプリンタのプリンタエンジンが搭載されている。２００５は赤外線処理装置であり、前述した赤外線受光部１００９に照射された赤外線を認識し受信する装置である。２００９は電源コネクタで、電源２００６により、商用ＡＣから変換された直流電圧を入力している。ＰＣ２００８は一般的なパーソナルコンピュータであり、有線インターフェース接続部２０１２を介して接続される。２００７は前述したメモリカード（ＰＣカード）である。
【００３１】
尚、その他のプリンタ詳細についてはエンジン２００４にまとめることで不図示であり、これらとの間の信号のやり取りは、内部バス２０１１を介して行われる。
【００３２】
図３は、ＡＳＩＣ２００１の構成を示すブロック図で、この図３においても、前述の図面と共通する部分は同じ記号を付与して、それらの説明を省略する。
【００３３】
３００１はＰＣカードインターフェース部で、装着されたＰＣカード２００７に記憶されている画像データを読取ったり、或いはＰＣカード２００７へのデータの書き込み等を行ったりする。３００３はＵＳＢインターフェース部で、ＰＣ２００８との間でのデータのやり取りを行う。３００４は赤外線インターフェース部で、赤外線処理装置２００５を介してＰＣや携帯電話などのデータの受信を行う。３００５は操作パネル・インターフェース部で、操作パネル１０１０からの各種操作信号を入力したり、表示部１００６への表示データの出力したりする。３００２は各種スイッチやＬＥＤ３００８等との間のインターフェースを制御するインターフェース部である。３００６はＣＰＵインターフェース部で、ＣＰＵ２００２との間でのデータのやり取りの制御を行っている。３００７はこれら各部を接続する内部バス（ＡＳＩＣバス）である。
【００３４】
図４は、携帯電話４０００から本実施の形態に係る印刷装置１０００に対して電子メールや画像などのデータを送信する場合のイメージ図である。
携帯電話４０００は、音声通話と言う基本機能にとどまらず、インターネットを介したホームページの閲覧や電子メールのやり取り、デジタル画像の撮影、メール文書やデジタル画像を外部メモリに保存、赤外線通信を利用した他の携帯電話もしくは他の機器とのデータのやり取りが可能なものである。
【００３５】
４００１はプッシュボタンであり、音声通話を発信する為の電話番号入力のみにとどまらず、文字入力も可能である。４００２は表示部であり、電話番号、電子メール、ホームページ閲覧など、利用者に対し視覚的な情報を提供するものである。４００３は赤外線通信部であり、本実施の形態に係る印刷装置１０００と赤外線通信を行う際に、印刷装置１０００の赤外線受光部１００９に対してデータを送信する為のインターフェースである。なおこの赤外線通信部４００３は、印刷装置１０００の赤外線受光部１００９と違い、データの受信のみならず、データの発信も行うことが可能である。
【００３６】
なお本実施形態の説明において、携帯電話４０００に搭載されているとするデジタルカメラ機能、外部メモリに保存する保存機能を実施する為の装置は不図示とする。
【００３７】
図５は、文字コードに対応したフォントテーブル５０００のイメージ図である。なお、このコードはJIS規格で定められたものである。
【００３８】
５００１は文字コードの上位バイトをあらわしたものである。５００２は文字コードの下位バイトをあらふぁしたものである。文字コードは１バイトコードの場合、上位バイト５００１と下位バイト５００２を加算してあらわしたものとなる。５００３はフォントデータであり、本発明形態であらわされる印刷装置などにおいてはこれに対応したフォントデータを保持している。
【００３９】
図６は、文字コードに対応したフォントテーブル６０００のイメージ図である。なお、このコードはシフトJIS規格で定められたものである。６００３は日本語フォントデータである。
【００４０】
図７は、絵文字用フォントテーブル７０００のイメージ図である。７００３は絵文字フォントデータである。通常絵文字が含まれた文書を印刷する場合、この絵文字絵文字用フォントテーブル７０００が必要である。
【００４１】
図８は、本発明形態であらわされる絵文字コード変換テーブル８０００のイメージ図である。図７であらわされた絵文字フォントデータ７００３の変わりにそれぞれの絵文字フォントデータ７００３が保持する絵の意味を語句に置き換えたもので、８００３は絵文字の意味をあらわした単語データである。
【００４２】
図９は、本発明形態であらわされる絵文字コード変換テーブル８０００の詳細を表したものである。８００３の単語データを文字コードであらわしたもので、９００３はこの文字コードの中身である。
【００４３】
図１０は絵文字を含んだ電子メールを携帯電話４０００から他の機器に取り込ませて表示、もしくは印刷させたときのイメージ図である。１０００１は絵文字フォントを持たず、且つ本発明形態を実施しなかったときの出力結果イメージであり、絵文字部分が出力できない状態である。１０００２は絵文字フォントを持たず、本発明形態を実施したときの出力結果イメージであり、絵文字の内容が絵文字コード変換テーブル８０００によって変換された為、理解可能な文書となっている。
【００４４】
図１１は、本発明形態であらわされる絵文字コード変換テーブル切り替え手段に使用される、アドレス別絵文字コード変換テーブル１１０００である。１１００１は、登録されている送信メールアドレスであり、１１００２は送信メールアドレスによって使い分けられる、絵文字コード変換テーブル８０００のテーブル番号である。本明細書において送信メールアドレス１１００１から対応する絵文字コード変換テーブル８０００を割り出すために、テーブル番号１１００２を使用しているが、これは具体例を示したものであり、本発明における、送信メールアドレス１１００１から対応する絵文字コード変換テーブル８０００はこれに限ったものではない。
【実施例１】
【００４５】
図１２は、本実施の形態に係るプリンタ装置で絵文字を含むデータを印刷する場合のフローチャートである。本発明の請求項４に記載の印刷装置について、具体的な動作手順を含めて実施例として説明を行う。本発明に記載の印刷装置１０００は、電源キー１００５を押下することで起動を行う。一連の初期動作を行った後、絵文字を含むメール文書を赤外線装置によって送信可能な携帯電話４０００を使用するユーザーによって赤外線送信された絵文字を含むメール文書を、赤外線受光部１００９によって受信した時点で、データ解析が行われる（Ｓ１２００１）。
【００４６】
印刷装置１０００は赤外線受光部１００９からデータを受信する（１２００１）と、そのデータが、電子メールなのかどうかの判断を行う（Ｓ１２００２）。この判断（Ｓ１２００２）によって、受け取ったデータが電子メールではないと判断された場合、本発明に記載されている印刷方法ではなく、他の印刷方法によって印刷が行われる（Ｓ１２００９）。この判断（Ｓ１２００２）によって、受け取ったデータが電子メールあると判断された場合、実際のデータ解析が開始される。
【００４７】
受信したデータに印刷すべき文字が存在するかどうか判断し（Ｓ１２００３）、存在しないと判断された場合は本発明の印刷は終了する（Ｓ１２０１０）。受信したデータに印刷すべき文字が存在すると判断された場合、まず、文字コードを１文字分取り出す（Ｓ１２００４）。次に１文字分の文字コードが、絵文字コードかどうかの判断を行う（Ｓ１２００５）。この判断（Ｓ１２００５）によって、絵文字コードではないと判断された場合、文字コードに対応したフォントテーブル５０００もしくは６０００などの、標準的なフォントテーブルを使用して、印刷データの作成をおこなう（Ｓ１２００８）。この判断（Ｓ１２００５）によって、絵文字コードであると判断された場合、本発明形態であらわされる絵文字コード変換テーブル９０００からこの絵文字コードに対応する語句の文字コード群９００３を取得し（Ｓ１２００６）、取得した文字コード群を、文字コードに対応したフォントテーブル５０００もしくは６０００などの、標準的なフォントテーブルを使用して変換することによって、印刷データの作成をおこなう（Ｓ１２００８）。
【００４８】
１文字分の変換が終了すると、受信したデータの次の文字解析に移る（Ｓ１２００７）。
【００４９】
Ｓ１２００３からＳ１２００７までの処理を受信したデータの終了まで繰り返すことで、印刷データの作成を行う。データの解析がすべて終了したと判断（Ｓ１２００３）された場合、本発明における動作は終了する（Ｓ１２０１０）。
【実施例２】
【００５０】
図１３は、本実施の形態に係るプリンタ装置でメールに添付される送信者アドレスによって、絵文字テーブルを切り替えて、絵文字を含むデータを印刷する場合のフローチャートである。
【００５１】
本発明の請求項６に記載の印刷装置について、具体的な動作手順を含めて実施例として説明を行う。本発明に記載の印刷装置１０００は、電源キー１００５を押下することで起動を行う。一連の初期動作を行った後、絵文字を含むメール文書を赤外線装置によって送信可能な携帯電話４０００を使用するユーザーによって赤外線送信された絵文字を含むメール文書を、赤外線受光部１００９によって受信した時点で、データ解析が行われる（Ｓ１３００１）。
【００５２】
印刷装置１０００は赤外線受光部１００９からデータを受信する（１３００１）と、そのデータが、電子メールなのかどうかの判断を行う（Ｓ１３００２）。この判断（Ｓ１３００２）によって、受け取ったデータが電子メールではないと判断された場合、本発明に記載されている印刷方法ではなく、他の印刷方法によって印刷が行われる（Ｓ１３００１１）。この判断（Ｓ１３００２）によって、受け取ったデータが電子メールあると判断された場合、実際のデータ解析が開始される。
【００５３】
まず、受け取った電子メールデータの送信者アドレスをチェックする（Ｓ１３００３）。本発明形態であらわされるアドレス別絵文字コード変換テーブル１１０００を参照し、送信者アドレス１１００１に対応する本発明形態であらわされる絵文字コード変換テーブル９０００を取得する（Ｓ１３００４）。この絵文字コード変換テーブル９０００は、受け取った電子メールデータの印刷が終了するまで使用される。
【００５４】
次に受信したデータに印刷すべき文字が存在するかどうか判断し（Ｓ１３００５）、存在しないと判断された場合は本発明の印刷は終了する（Ｓ１３０１２）。受信したデータに印刷すべき文字が存在すると判断された場合、まず、文字コードを１文字分取り出す（Ｓ１３００６）。次に１文字分の文字コードが、絵文字コードかどうかの判断を行う（Ｓ１３００７）。この判断（Ｓ１３００７）によって、絵文字コードではないと判断された場合、文字コードに対応したフォントテーブル５０００もしくは６０００などの、標準的なフォントテーブルを使用して、印刷データの作成をおこなう（Ｓ１３０１０）。この判断（Ｓ１３００７）によって、絵文字コードであると判断された場合、先ほどＳ１３００４で取得した本発明形態であらわされる絵文字コード変換テーブル９０００からこの絵文字コードに対応する語句の文字コード群９００３を取得し（１３００８）、取得した文字コード群を、文字コードに対応したフォントテーブル５０００もしくは６０００などの、標準的なフォントテーブルを使用して変換することによって、印刷データの作成をおこなう（Ｓ１３０１０）。
【００５５】
１文字分の変換が終了すると、受信したデータの次の文字解析に移る（Ｓ１３００９）。
【００５６】
Ｓ１３００５からＳ１３００９までの処理を受信したデータの終了まで繰り返すことで、印刷データの作成を行う。データの解析がすべて終了したと判断（Ｓ１３００５）された場合、本発明における動作は終了する（Ｓ１３０１２）。
【００５７】
（その他の実施例）
実施例１、及び実施例２においては、印刷装置１０００が携帯電話４０００からデータを受け取る方法を、赤外線受光部１００９からの赤外線通信のみに限定しているが、それに限ったものではない。絵文字コードを含む電子メールを受け取れれば良く、その他の受け取り方法として、ＰＣカード２００７に絵文字コードを含む電子メールを保存し、カードスロット１０１１に挿入することデータを受け取ることも可能であるし、有線インターフェース接続部２０１２を介してデータを受け取ることも考えられる。
【００５８】
なお本発明は、複数の機器（例えばホストコンピュータ、インターフェース機器、リーダ、プリンタなど）から構成されるシステムに適用しても、一つの機器からなる装置（例えば、複写機、ファクシミリ装置など）に適用してもよい。
【００５９】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても達成される。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれる。さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれる。
【図面の簡単な説明】
【００６０】
【図１】本発明の実施の形態に係る印刷装置の概観斜視図である。
【図２】本実施の形態に係る印刷装置の制御に係る主要部の構成を示すブロック図である。
【図３】本実施の形態に係る印刷装置のＡＳＩＣの構成を示すブロック図である。
【図４】本実施の形態に係る印刷装置と携帯電話の通信状態の概観図である。
【図５】印刷装置に一般的に搭載されているフォントテーブルのイメージ図１である。
【図６】印刷装置に一般的に搭載されているフォントテーブルのイメージ図２である。
【図７】絵文字フォントを使用する場合の絵文字フォントテーブルのイメージ図である。
【図８】本実施の形態に係る印刷装置の絵文字コード変換テーブルイメージ図１である。
【図９】本実施の形態に係る印刷装置の絵文字コード変換テーブルイメージ図２である。
【図１０】絵文字を含んだ電子メールを携帯電話から印刷装置に取り込ませては印刷させたときのイメージ図である。
【図１１】本実施の形態に係る印刷装置のアドレス別絵文字コード変換テーブル１１０００である。
【図１２】本実施の形態に係るプリンタ装置で絵文字を含むデータを印刷する場合のフローチャートである。
【図１３】本実施の形態に係るプリンタ装置でメールに添付される送信者アドレスによって、絵文字テーブルを切り替えて、絵文字を含むデータを印刷する場合のフローチャートである。
【図１】
2006192692.tif 000003
【図２】
2006192692.tif 000004
【図３】
2006192692.tif 000005
【図４】
2006192692.tif 000006
【図５】
2006192692.tif 000007
【図６】
2006192692.tif 000008
【図７】
2006192692.tif 000009
【図８】
2006192692.tif 000010
【図９】
2006192692.tif 000011
【図１０】
2006192692.tif 000012
【図１１】
2006192692.tif 000013
【図１２】
2006192692.tif 000014
【図１３】
2006192692.tif 000015